(57)【要約】      （修正有）【課題】接眼レンズが露出することを効果的に防止し、接眼レンズにほこりが堆積することや傷を防止し、耐用年数を延ばす顕微鏡に用いる防塵保護構造およびその顕微鏡を提供する。【解決手段】防塵保護構造は、外套本体１とバックプレート２と遮光シート３と押しボタンモジュール４とを備えており、押しボタンモジュールは遮光シートに連接されており、押しボタンモジュールの頂部は第１のスライド溝１２の内側に嵌め込まれており、第１のスライド溝に沿って往復スライドできる。使用しないときは、第１の貫通穴１１と第２の貫通穴２１との間が遮光シートによって塞がれ、押しボタンモジュールが押され、押しボタンモジュールの頂部が第１のスライド溝の一端から他端へスライドすると、押しボタンモジュールが遮光シートを駆動してスライドさせて開け、第１の貫通穴と第２の貫通穴とを連通させて、押しボタンモジュールをスライドすることにより遮光シートの開／閉状態とする。【選択図】図１
0003235267.tif 000002
【実用新案登録請求の範囲】
【請求項１】
外套本体（１）と、バックプレート（２）と、遮光シート（３）と、押しボタンモジュール（４００）とを備える顕微鏡に用いる防塵保護構造であって、
外套本体（１）の頂部の中央に第１の貫通穴（１１）が形成され、第１の貫通穴（１１）の片側に第１のスライド溝（１２）が設けられており、
バックプレート（２）は外套本体（１）内に取り付けられており、バックプレート（２）と外套本体（１）との間に空洞（２０）が形成され、バックプレート（２）の中央には第２の貫通穴（２１）が形成され、第１の貫通穴（１１）は第２の貫通穴（２１）と上下に位置が対応しており、
遮光シート（３）は空洞（２０）内に取り付けられ、第１のスライド溝（１２）と空洞（２０）とは連通しており、遮光シート（３）はバックプレート（２）の頂面に平らに貼り付けられておりバックプレート（２）の頂面に沿って往復スライドすることができ、
押しボタンモジュール（４００）は遮光シート（３）に連接しており、押しボタンモジュール（４００）の頂部は第１のスライド溝（１２）内に嵌め込まれ第１のスライド溝（１２）に沿って往復スライドすることができ、
使用しないときは、第１の貫通穴（１１）と第２の貫通穴（２１）との間が遮光シート（３）によって塞がれ、押しボタンモジュール（４００）が押され、押しボタンモジュール（４００）の頂部が第１のスライド溝（１２）内において一端から他端へスライドすると、押しボタンモジュール（４００）は遮光シート（３）をスライドさせて開け、その結果、第１の貫通穴（１１）と第２の貫通穴（２１）とが連通する、
ことを特徴とする顕微鏡に用いる防塵保護構造。
【請求項２】
請求項１に記載の顕微鏡に用いる防塵保護構造であって、
前記押しボタンモジュール（４００）は、押しボタン（４）と、ネジ（５）と、押えブロック（６）とを有し、バックプレート（２）上には第１のスライド溝（１２）と上下に対応する位置に第２のスライド溝（２２）が形成されており、遮光シート（３）上には第１の取付穴（３１）が形成されており、押しボタン（４）の頂部は第１のスライド溝（１２）に嵌め込まれており、押しボタン（４）の底部は遮光シート（３）の第１の取付穴（３１）を貫通して第２のスライド溝（２２）内にまで伸びており、押えブロック（６）はバックプレート（２）の第２のスライド溝（２２）の底面に取り付けられており、ネジ（５）が押えブロック（６）を貫通して押しボタン（４）の底部に連接されることによって、遮光シート（３）がバックプレート（２）の頂面に貼り付けられている、
ことを特徴とする顕微鏡に用いる防塵保護構造。
【請求項３】
請求項２に記載の顕微鏡に用いる防塵保護構造であって、
バックプレート（２）の頂面における第２の貫通穴（２１）の両側に凸状縁（２３）が形成されており、使用しないときは、遮光シート（３）の一端は両側の凸状縁（２３）の間にある、
ことを特徴とする顕微鏡に用いる防塵保護構造。
【請求項４】
請求項２に記載の顕微鏡に用いる防塵保護構造であって、
バックプレート（２）の底面には第２のスライド溝（２２）の縁に係止溝（２４）が形成され、押えブロック（６）が係止溝（２４）に嵌め込まれている、
ことを特徴とする顕微鏡に用いる防塵保護構造。
【請求項５】
請求項２又は３又は４に記載の顕微鏡に用いる防塵保護構造であって、
バックプレート（２）には第２のスライド溝（２２）の両側に第３の貫通穴（２５）が形成され、外套本体（１）には第１のスライド溝（１２）の両側に接続支柱（１３）が形成され、接続支柱（１３）の端面にはネジ穴（１４）が形成され、バックプレート（２）の第３の貫通穴（２５）と接続支柱（１３）のネジ穴（１４）とが対応しており、第３の貫通穴（２５）とネジ穴（１４）とにネジ（５）が締められることにより、バックプレート（２）が外套本体（１）内に固定されている、
ことを特徴とする顕微鏡に用いる防塵保護構造。
【請求項６】
請求項５に記載の顕微鏡に用いる防塵保護構造であって、
外套本体（１）上における第１のスライド溝（１２）の下方には電池カバー（７）が形成されている、
ことを特徴とする顕微鏡に用いる防塵保護構造。
【請求項７】
ハウジング（１００）と、防塵保護構造と、ハウジング（１００）の内面に取り付けられた光学システムモジュールとを備え、防塵保護構造がハウジング（１００）に取り付けられており、光学システムモジュールは対象物の表面から眼までの光軸Ｚに沿って順番に配置された対物レンズ群（１０１）と接眼レンズ群（１０２）とを有しており、
前記防塵保護構造は上述の請求項１乃至６のいずれか一項に記載の前記防塵保護構造である、顕微鏡。
【考案の詳細な説明】
【技術分野】
【０００１】
本考案は、顕微鏡に用いる防塵保護構造およびその顕微鏡に関する。
【背景技術】
【０００２】
既存のズーム顕微鏡の接眼レンズには防塵カバーが設けられておらず、顕微鏡を使用しないときは、接眼レンズが露出しており、接眼レンズの保護効果が高くなく、また、接眼レンズが露出しているため、傷が付きやすく、さらに接眼レンズの表面にほこりが堆積しやすく、顕微鏡を使用する際にはっきりと見ることができず、使用や観察の精度に影響を及ぼし、耐用年数が短い。
【考案の概要】
【考案が解決しようとする課題】
【０００３】
本考案の目的は顕微鏡に用いる防塵保護構造およびその顕微鏡を提供することであり、これは、従来技術における傷がつきやすいこと、接眼レンズの表面へほこりが堆積しやすく、顕微鏡を使用する際にはっきりと見ることができず、使用と観察の精度に影響を及ぼし、耐用年数が短いという技術的な問題を解決することができる。
【課題を解決するための手段】
【０００４】
本考案の目的は、以下の技術的解決手段によって達成される。本考案は、外套本体と、バックプレートと、遮光シートと、押しボタンモジュールとを備える顕微鏡に用いる防塵保護構造であって、
外套本体の頂部の中央に第１の貫通穴が形成され、第１の貫通穴の片側に第１のスライド溝が設けられており、
バックプレートは外套本体内に取り付けられており、バックプレートと外套本体との間に空洞が形成され、バックプレートの中央に第２の貫通穴が形成され、第１の貫通穴は第２の貫通穴と上下に位置が対応しており、
遮光シートは空洞内に取り付けられ、第１のスライド溝と空洞とは連通しており、遮光シートはバックプレートの頂面に平らに貼り付けられておりバックプレートの頂面に沿って往復スライドすることができ、
押しボタンモジュールは遮光シートに連接しており、押しボタンモジュールの頂部は第１のスライド溝内に嵌め込まれ第１のスライド溝に沿って往復スライドすることができ、
使用しないときは、第１の貫通穴と第２の貫通穴との間が遮光シートで塞がれ、押しボタンモジュールが押され、押しボタンモジュールの頂部が第１のスライド溝内において一端から他端へスライドすると、押しボタンモジュールは遮光プレートをスライドさせて開け、その結果、第１の貫通穴と第２の貫通穴とが連通する、ことを特徴とする顕微鏡に用いる防塵保護構造を提供する。
【０００５】
上記押しボタンモジュールは、押しボタンと、ネジと、押えブロックとを有し、バックプレート上には第１のスライド溝と上下に対応する位置に第２のスライド溝が形成されており、遮光シート上には第１の取付穴が形成されており、押しボタンの頂部は第１のスライド溝に嵌め込まれており、押しボタンの底部は遮光シートの第１の取付穴を貫通して第２のスライド溝内にまで伸びており、押えブロックはバックプレートの第２のスライド溝の底面に取り付けられており、ネジが押えブロックを貫通して押しボタンの底部に連接されることによって、遮光シートがバックプレートの頂面に貼り付けられている。
【０００６】
上記バックプレートの頂面における第２の貫通穴の両側に凸状縁が形成されており、使用しないときは、遮光シートの一端が両側の凸状縁の間にある。
【０００７】
上記バックプレートの底面には第２のスライド溝の縁に係止溝が形成され、押えブロックが係止溝に嵌め込まれている。
【０００８】
上記バックプレートには第２のスライド溝の両側に第３の貫通穴が形成され、外套本体には第１のスライド溝の両側に接続支柱が形成され、接続支柱の端面にはネジ穴が形成され、第３の貫通穴とネジ穴とは対応しており、第３の貫通穴とネジ穴とにネジが締められることにより、バックプレートが外套本体内に固定されている。
【０００９】
上記外套本体上における第１のスライド溝の下方には電池カバーが形成されている。
【００１０】
顕微鏡は、ハウジングと、防塵保護構造と、ハウジングの内面に取り付けられた光学システムモジュールとを備え、防塵保護構造はハウジングに取り付けられており、光学システムモジュールは対象物の表面から眼までの光軸Ｚに沿って順番に配置された対物レンズ群と接眼レンズ群とを有しており、前記防塵保護構造は上記防塵保護構造であることを特徴とする。
【考案の効果】
【００１１】
本考案には従来技術と比較して以下の効果がある。
１）外套本体と、バックプレートと、遮光シートと、押しボタンモジュールとを備える顕微鏡に用いる防塵保護構造であって、外套本体の頂部の中央に第１の貫通穴が形成され、第１の貫通穴の片側に第１のスライド溝が設けられており、バックプレートは外套本体内に取り付けられており、バックプレートと外套本体との間に空洞が形成され、バックプレートの中央に第２の貫通穴が形成され、第１の貫通穴は第２の貫通穴と上下に位置が対応しており、遮光シートは空洞内に取り付けられ、第１のスライド溝と空洞とは連通しており、遮光シートはバックプレートの頂面に貼り付けられておりバックプレートの頂面に沿って往復スライドすることができ、押しボタンモジュールは遮光シートに連接しており、押しボタンモジュールの頂部は第１のスライド溝内に嵌め込まれ第１のスライド溝に沿って往復スライドすることができ、使用しないときは、第１の貫通穴と第２の貫通穴との間は遮光シートによって塞がれ、押しボタンモジュールが押され、押しボタンモジュールの頂部が第１のスライド溝内において一端から他端へスライドすると、押しボタンモジュールは遮光シートをスライドさせて開け、その結果、第１の貫通穴は第２の貫通穴と連通し、押しボタンモジュールを押してスライドさせることにより、遮光シートを開／閉状態とし、接眼レンズの露出を効果的に防止し、接眼レンズにほこりが堆積することや傷がつくことを防止して耐用年数を延ばす。
２）本考案のその他の利点は、考案を実施するための形態の欄で詳細に説明する。
【図面の簡単な説明】
【００１２】
【図１】本考案の第１の実施例の防塵構造を示す図である。
【図２】本考案の第１の実施例の防塵保護構造の部分構造を示す図である。
【図３】本考案の第１の実施例の防塵構造の閉状態における断面図である。
【図４】本考案の第１の実施例の防塵構造の開状態における断面図である。
【図５】本考案の第１の実施例の防塵構造の斜視図である。
【図６】本考案の第１の実施例のバックプレートの斜視図である。
【図７】本考案の第１の実施例のバックプレートの別角度からの斜視図である。
【図８】本考案の第１の実施例の外套本体の構造を示す図である。
【図９】本考案の第１の実施例の断面図である。
【図１０】本考案の第２の実施例の閉状態における斜視図である。
【図１１】本考案の第２の実施例の開状態における斜視図である。
【図１２】本考案の第２の実施例の分解図である。
【図１３】本考案の第２の実施例の閉状態における断面図である。
【図１４】本考案の第２の実施例の開状態における断面図である。
【考案を実施するための形態】
【００１３】
以下の具体的実施例と添付の図面とを併せて用いることにより本考案をさらに詳細に説明する。
【００１４】
図１乃至図９に示すように、本実施例は、外套本体１と、バックプレート２と、遮光シート３と、押しボタンモジュール４００とを備える顕微鏡に用いる防塵保護構造であって、
外套本体１の頂部の中央に第１の貫通穴１１が形成され、第１の貫通穴１１の片側に第１のスライド溝１２が設けられており、
バックプレート２は外套本体１内に取り付けられており、バックプレート２と外套本体１との間に空洞２０が形成され、バックプレート２の中央には第２の貫通穴２１が形成され、第１の貫通穴１１は第２の貫通穴２１と上下に位置が対応しており、
遮光シート３は空洞２０内に取り付けられ、第１のスライド溝１２と空洞２０とは連通しており、遮光シート３はバックプレート２の頂面に平らに貼り付けられておりバックプレート２の頂面に沿って往復スライドすることができ、
押しボタンモジュール４００は遮光シート３に連接しており、押しボタンモジュール４００の頂部は第１のスライド溝１２内に嵌め込まれ第１のスライド溝１２に沿って往復スライドすることができ、
使用しないときは、第１の貫通穴１１と第２の貫通穴２１との間は遮光シート３によって塞がれ、押しボタンモジュール４００が押され、押しボタンモジュール４００の頂部が第１のスライド溝１２内において一端から他端へスライドすると、押しボタンモジュール４００は遮光シート３をスライドさせて開け、その結果、第１の貫通穴１１と第２の貫通穴２１とが連通し、押しボタンモジュール４００を押してスライドさせることにより、遮光シート３を開／閉状態とし、接眼レンズの露出を効果的に防止し、接眼レンズにほこりが堆積することや傷がつくことを防止して耐用年数を延ばす、ことを特徴とする顕微鏡に用いる防塵保護構造を提供する。
【００１５】
押しボタンモジュール４００は、押しボタン４と、ネジ５と、押えブロック６とを有し、バックプレート２上には第１のスライド溝１２と上下に対応する位置に第２のスライド溝２２が形成されており、遮光シート３上には第１の取付穴３１が形成されており、押しボタン４の頂部は第１のスライド溝１２に嵌め込まれており、押しボタン４の底部は遮光シート３の第１の取付穴３１を貫通して第２のスライド溝２２内にまで伸びており、押えブロック６はバックプレート２の第２のスライド溝２２の底面に取り付けられており、ネジ５が押えブロック６を貫通して押しボタン４の底部に連接されることによって、遮光シート３がバックプレート２の頂面に簡単な構造により貼り付けられている。
【００１６】
バックプレート２の頂面における第２の貫通穴２１の両側に凸状縁２３が形成されており、使用しないときは、遮光シート３の一端は両側の凸状縁２３の間にあり、両側の凸状縁２３はガイド作用を果たし、合理的な構造配置となっている。
【００１７】
バックプレート２の底面には第２のスライド溝２２の縁に係止溝２４が形成され、押えブロック６が係止溝２４に嵌め込まれており、押えブロック６が周方向に回転することを防止し、合理的な構造配置となっている。
【００１８】
バックプレート２には第２のスライド溝２２の両側に第３の貫通穴２５が形成され、外套本体１には第１のスライド溝１２の両側に接続支柱１３が形成され、接続支柱１３の端面にはネジ穴１４が形成され、バックプレート２の第３の貫通穴２５と接続支柱１３のネジ穴１４とが対応しており、第３の貫通穴２５とネジ穴１４とにネジ５が締められることにより、バックプレート２が外套本体１内に簡単な構造で固定されている。
【００１９】
外套本体１上における第１のスライド溝１２の下方には電池カバー７が形成されており、合理的な構造配置となっている。
【００２０】
＜第２の実施例＞
図１０乃至図１４に示すように、顕微鏡は、ハウジング１００と、防塵保護構造と、ハウジング１００の内面に取り付けられた光学システムモジュールを備え、防塵保護構造はハウジング１００に取り付けられており、光学システムモジュールは対象物の表面から眼までの光軸Ｚに沿って順番に配置された対物レンズ群１０１と接眼レンズ群１０２とを有しており、前記防塵保護構造は上述の第１の実施例に記載の防塵保護構造であり、押しボタンモジュール４００を押してスライドさせて遮光シート３の開／閉状態とし、接眼レンズが露出するのを効果的に防止し、ほこりや傷が接眼レンズに蓄積するのを防ぎ、耐用年数を延ばす。
【００２１】
上記の実施例は実用新案の好ましい実施例であるが、実用新案の実施例はそれに限定されない。実用新案の精神および原理から逸脱することなく行われる他の変更、修正、置換、組み合わせおよび簡略化はすべて同等の置換方式であり、いずれについても本考案の保護範囲に含まれる。
【図１】
0003235267.tif 000003
【図２】
0003235267.tif 000004
【図３】
0003235267.tif 000005
【図４】
0003235267.tif 000006
【図５】
0003235267.tif 000007
【図６】
0003235267.tif 000008
【図７】
0003235267.tif 000009
【図８】
0003235267.tif 000010
【図９】
0003235267.tif 000011
【図１０】
0003235267.tif 000012
【図１１】
0003235267.tif 000013
【図１２】
0003235267.tif 000014
【図１３】
0003235267.tif 000015
【図１４】
0003235267.tif 000016